(57)【特許請求の範囲】
【請求項１】
印画紙が巻き取られた印画紙ロールと、
繰り出しロール、これと平行に配置された巻き取りロール、及び前記繰り出しロールに巻き取られたインクリボンを有するインクリボンユニットと、
前記印画紙ロール及びインクリボンユニットを収納する収納箱と、
前記収納箱内を、前記印画紙ロール及びインクリボンユニットがそれぞれ配置される第１及び第２収納領域に仕切る仕切り部材と、を備え、
前記印画紙ロールは、軸芯が、前記第２収納領域の底面と垂直となるように配置され、
前記インクリボンユニットは、前記繰り出しロール及び巻き取りロールの軸方向が、第２収納領域の底面と平行となるように配置され、
前記仕切り部材は、前記印画紙ロールを軸方向の両端部において挟む一対の板状の挟持部と、前記両挟持部を連結する板状の連結部とを有し、前記第２収納領域の底面と垂直な方向から傾斜するように延びており、
前記連結部は、前記第１及び第２収納領域の境界を構成する、梱包体。
【請求項２】
印画紙が巻き取られた少なくとも２個の印画紙ロールと、
繰り出しロール、これと平行に配置された巻き取りロール、及び前記繰り出しロールに巻き取られたインクリボンを有する少なくとも２個のインクリボンユニットと、
前記各印画紙ロール及びインクリボンユニットを収納する収納箱と、
前記収納箱内を、前記印画紙ロール及びインクリボンユニットがそれぞれ配置される第１及び第２収納領域に仕切る仕切り部材と、を備え、
前記インクリボンユニットは、前記繰り出しロール及び巻き取りロールの軸方向が、第２収納領域の底面と平行となるように配置され、
少なくとも２個の前記インクリボンユニットは、一方のインクリボンユニットにおける前記巻き取りロールと繰り出しロールとの径の差により生ずる段差に、他方のインクリボンユニットの巻き取りロールが嵌るように配置され、さらに、前記２個の巻き取りロールを挟んで前記２個の繰り出しロールが対向するように、配置されている、梱包体。
【請求項３】
前記印画紙ロールは、軸芯が、前記第２収納領域の底面と垂直となるように配置され、
前記仕切り部材は、前記印画紙ロールを軸方向の両端部において挟む一対の板状の挟持部と、前記両挟持部を連結する板状の連結部とを有し、
前記連結部は、前記第１及び第２収納領域の境界を構成する、請求項２に記載の梱包体。
【請求項４】
前記印画紙ロールは、軸芯部分に円筒状の軸芯空間を有しており、
前記各挟持部には、前記印画紙ロール側に突出し、前記軸芯空間に嵌合する軸固定部材がそれぞれ設けられている、請求項１または３に記載の梱包体。
【請求項５】
前記仕切り部材は、展開したときに、一方の挟持部、連結部、及び他方の挟持部がこの順で並ぶように一体的に形成され、
前記連結部は、前記挟持部よりも幅の狭い帯状に形成され、
前記連結部は、当該連結部の延びる方向に沿って前記一方の挟持部に形成された切り込みによって、当該一方の挟持部の中間部まで延長されており、当該中間部において折り曲げ可能となっている、請求項１、３または４に記載の梱包体。
【請求項６】
前記各挟持部の少なくとも一方は、前記収納箱において、前記印画紙ロールの軸心の端部が対向する面と、ほぼ同じ大きさに形成されている、請求項１または３から５のいずれかに記載の梱包体。
【請求項７】
前記インクリボンユニットにおける軸方向の端部の少なくとも一方と、前記収納箱の内壁面との間に形成される隙間に隙間材が配置されている、請求項１または３から６のいずれかに記載の梱包体。 
【発明の詳細な説明】
【技術分野】
【０００１】
本発明は、印画紙ロール及びインクリボンユニットを収納箱に収納した梱包体に関する。
【背景技術】
【０００２】
ロール状の製品の梱包形態としては、例えば、特許文献１に記載のものなど、種々のものが提案されている。このように、ロール状製品自体の梱包形態は、多岐に亘り、最近では、ロール状製品に加え、付属物も同時に梱包する試みがなされている。例えば、ロール状製品の一つである印画紙ロールについては、これに印画を行うインクリボンユニットも同じ収納箱に梱包することで、ユーザの利便性を向上している。
【特許文献１】特開平７−６９３４１号公報
【発明の開示】
【発明が解決しようとする課題】
【０００３】
ところで、上記のようなインクリボンユニットは、インクリボンが巻き取られた繰り出しロールと、これに平行に配置された巻き取りロールとがセットになったものであり、未使用時には、繰り出しロールの径が大きい一方、巻き取りロールの径が小さくなっている。すなわち、径の異なる２つのロールが平行に配置された異形の形状をなしているため、収納箱内での固定が難しいという問題があった。例えば、立方体または直方体といった対向する面が平行な形状を有する内容物は、比較的簡単な固定具や仕切り材で収納箱内に固定することができるが、上記のような異形の内容物では、固定のための部材が複雑になったり、隙間を埋めるために余分な部材が必要になるため、部品点数が多くなるという問題も有している。
【０００４】
本発明は、上記問題を解決するためになされたものであり、少ない部品点数で異形のインクリボンユニットを確実に固定することができる梱包体を提供することを目的とする。
【課題を解決するための手段】
【０００５】
本発明に係る第１の梱包体は、上記問題を解決するためになされたものであり、印画紙が巻き取られた印画紙ロールと、繰り出しロール、これと平行に配置された巻き取りロール、及び前記繰り出しロールに巻き取られたインクリボンを有するインクリボンユニットと、前記印画紙ロール及びインクリボンユニットを収納する収納箱と、前記収納箱内を、前記印画紙ロール及びインクリボンユニットがそれぞれ配置される第１及び第２収納領域に仕切る仕切り部材と、を備え、前記印画紙ロールは、軸芯が、前記第２収納領域の底面と垂直となるように配置され、前記インクリボンユニットは、前記繰り出しロール及び巻き取りロールの軸方向が、第２収納領域の底面と平行となるように配置され、前記仕切り部材は、前記印画紙ロールを軸方向の両端部において挟む一対の板状の挟持部と、前記両挟持部を連結する板状の連結部とを有し、前記第２収納領域の底面と垂直な方向から傾斜するように延びており、前記連結部は、前記第１及び第２収納領域の境界を構成する。
【０００６】
この構成によれば、仕切り部材によって、収納箱内が、印画紙ロールが配置される第１収納領域と、インクリボンユニットが収納される第２収納領域に仕切られる。そして、第２収納領域においては、繰り出しロール及び巻き取りロールの軸方向が、第２収納領域の底面と平行となるように配置されるとともに、
仕切り部材は、第２収納領域の底面と垂直な方向から傾斜するように、延びている。これにより、第２収納領域は、底面と垂直な方向において、一方から他方にいくにしたがって、容積が狭くなるように構成されている。そのため、インクリボンユニットの収納に当たっては、径の大きい繰り出しロール側を容積の大きい側に配置し、径の小さい巻き取りロール側を容積の小さい側に配置することで、収納することができる。したがって、径の異なるロールを有するインクリボンユニットに適合したスペースを作ることができ、インクリボンユニットを確実に固定することができる。
【０００７】
また、仕切り部材は、印画紙ロールとインクリボンユニットとを仕切るのにすぎないため、隙間を埋めるような特別な部材は不要であり、部品点数を少なくすることができ、ひいてはコストダウンを図ることができる。なお、第２収納領域の底面は、必ずしも、収納箱の下面側を意味するのではなく、いずれの面であってもよく、例えば、収納箱の側面に対応する面を第２収納領域の底面として定義することもできる。また、印画紙ロールの配置方向は、特には限定されないが、例えば、軸方向が第２収納領域の底面と垂直となるように配置すると、安定して配置することができる。
【０００８】
本発明に係る第２の梱包体は、上記問題を解決するためになされたものであり、印画紙が巻き取られた少なくとも２個の印画紙ロールと、繰り出しロール、これと平行に配置された巻き取りロール、及び前記繰り出しロールに巻き取られたインクリボンを有する少なくとも２個のインクリボンユニットと、前記各印画紙ロール及びインクリボンユニットを収納する収納箱と、前記収納箱内を、前記印画紙ロール及びインクリボンユニットがそれぞれ配置される第１及び第２収納領域に仕切る仕切り部材と、を備え、前記インクリボンユニットは、前記繰り出しロール及び巻き取りロールの軸方向が、第２収納領域の底面と平行となるように配置され、少なくとも２個の前記インクリボンユニットは、一方のインクリボンユニットにおける前記巻き取りロールと繰り出しロールとの径の差により生ずる段差に、他方のインクリボンユニットの巻き取りロールが嵌るように配置され、さらに、前記２個の巻き取りロールを挟んで前記２個の繰り出しロールが対向するように、配置されている。
【０００９】
この構成によれば、２個以上の印画紙ロール及びインクリボンユニットを収納する場合、一方のインクリボンユニットにおける巻き取りロールと繰り出しロールとの径の差により生ずる段差に、他方のインクリボンユニットの巻き取りロールが嵌るように配置され、さらに、２個の巻き取りロールを挟んで前記２個の繰り出しロールが対向するように、配置される。このような配置により、異形のインクリボンユニットにおいて、径の小さい巻き取りロール同士が隣接して繰り出しロールとの径の差を互いに埋めることができる。その結果、収納箱内に無駄なスペースが形成されるのを防止でき、さらにスペースを埋めるための余分な部材も不要になる。
【００１０】
上記第１及び第２の梱包体において、仕切り部材は、種々の形態にできる。例えば、第１及び第２収納領域の境界のみに配置されるような形態にすることができる。この場合、仕切り部材が収納箱内で動かないようにするための固定手段を設けることが好ましい。また、仕切り部材は、例えば、印画紙ロールを軸芯が第２収納領域の底面と垂直となるように配置した上で、印画紙ロールを軸方向の両端部において挟む一対の板状の挟持部と、両挟持部を連結する板状の連結部とを備え、連結部が、第１及び第２収納領域の境界を構成するように、仕切り部材を形成することができる。このようにすると、挟持部により、印画紙ロールを軸方向から挟むことができるため、挟持部に他の固定手段を施すことで、印画紙ロールを固定することができる。これにより、収納箱内での印画紙ロールの移動、振動などを防止することができるほか、仕切り部材自体の移動なども防止することができる。
【００１１】
例えば、印画紙ロールが、軸芯部分に円筒状の軸芯空間を有している場合、各挟持部に、印画紙ロール側に突出し、軸芯空間に嵌合する軸固定部材を設けると、印画紙ロールをしっかりと固定することができる。このように、印画紙ロールの内部に嵌合する部材を用いて固定することができるので、省スペース化が可能になる。
【００１２】
仕切り部材は、種々の態様があるが、例えば、第１の梱包体の場合、一方の挟持部の中間部に、連結部の一端部を連結し、他方の挟持部の端部またはその近傍に連結部の他端部を連結することで構成することができ、こうすることで、連結部を軸方向から傾斜して配置することができる。或いは、次のように構成することもできる。すなわち、仕切り部材を、展開したときに、一方の挟持部、連結部、及び他方の挟持部がこの順で並ぶように一体的に形成し、連結部を、挟持部よりも幅の狭い帯状に形成する。そして、連結部の延びる方向に沿って一方の挟持部に形成された切り込みによって、連結部が、一方の挟持部の中間部まで延長するようにし、この中間部において連結部を折り曲げ可能とする。この構成によれば、仕切り部材を一枚の板材などによって、一体的に形成することができ、コストの低減及び製造の簡易化を図ることができる。なお、中間部とは、必ずしも、挟持部の中央を指すのではなく、両端部の間の任意の位置を指す。
【００１３】
第２の梱包体においても、同様の仕切り部材を用いることができる。但し、第２の梱包体では、２個のインクリボンユニットが互いに隙間を埋めるように配置されるため、必ずしも連結部を傾斜させる必要はなく、第１及び第２収納領域の間を、第２収納領域の底面から垂直に延びるように形成することができる。なお、仕切り部材を一枚の板材などによって形成する場合には、上述したように、連結部が一方の挟持部の中間部まで延長するように形成することができる。連結部が印画紙ロールの軸方向に真っ直ぐに延びる場合には、連結部を他方の挟持部の中間部にも延長することができる。
【００１４】
また、各挟持部の少なくとも一方は、収納箱において、前記印画紙ロールの軸心の端部が対向する面と、ほぼ同じ大きさに形成することができる。このようにすると、挟持部が、収納箱の内壁面に嵌って固定されるため、挟持部が収納箱内で移動するのを防止でき、ひいては印画紙ロールの移動、及び連結部の移動も防止することができる。
【００１５】
また、インクリボンユニットにおける軸方向の端部の少なくとも一方と、収納箱の内壁面との間に形成される隙間に、隙間材を配置することができる。特に、第２の梱包体は、印画紙ロールを２個以上収納し、この印画紙ロールを基準に収納箱が設計されることが多いため、インクリボンユニットと収納箱の内壁面との間には、隙間が生じる可能性がある。この場合、上記のように隙間材を配置することで、隙間を埋めることができ、インクリボンユニットの収納箱内での移動を防止することができる。隙間材は、軸方向の両端部に配置してもよいし、一方の端部のみに配置することもできる。このような隙間材は、第１の梱包体においても使用することができ、この場合、第２収納領域の形状に合わせた隙間材を準備し、これをインクリボンユニットの軸方向の一方または両方の端部に配置すればよい。
【００１６】
なお、本発明で用いられる印画紙ロール及びインクリボンユニットは、画像の形成のほか、文字の印刷も可能である。また、ロール状に形成されているのであれば、印画紙ロールの材料、大きさは特には限定されず、またインクリボンも特には限定されない。
【００１７】
本発明に係る第３の梱包体は、上記問題を解決するためになされたものであり、印画紙が巻き取られた印画紙ロールと、繰り出しロール、これと平行に配置された巻き取りロール、及び前記繰り出しロールに巻き取られたインクリボンを有するインクリボンユニットと、前記印画紙ロール及びインクリボンユニットを収納する収納箱と、前記収納箱に収納され、前記印画紙ロールとインクリボンユニットとを仕切る仕切り部材と、を備え、前記仕切り部材は、前記印画紙ロールを軸方向の両端部において挟む一対の板状の挟持部と、前記両挟持部を連結する板状の連結部とを有し、前記連結部は、前記印画紙ロールの径方向に、前記収納箱内を、前記印画紙ロール及びインクリボンユニットがそれぞれ配置される第１及び第２収納領域に仕切り、しかも、前記軸方向から傾斜するように延びている。
【００１８】
この構成によれば、仕切り部材の連結部が、収納箱内を、印画紙ロール及びインクリボンユニットが、当該印画紙ロールの径方向に並ぶように仕切っており、さらに連結部は、印画紙ロール軸方向から傾斜するように延びている。したがって、インクリボンユニットの収納される第２収納領域は、軸方向の一方から他方にいくにしたがって、面積が狭くなるように構成されている。そのため、インクリボンユニットの収納に当たっては、径の大きい繰り出しロール側を印画紙ロールの軸方向の一方側に配置し、径の小さい巻き取りロール側を他方側に配置することで、収納することができる。したがって、径の異なるロールを有するインクリボンユニットに適合したスペースを作ることができ、インクリボンユニットを確実に固定することができる。
【発明の効果】
【００１９】
本発明に係る梱包体によれば、少ない部品点数で異形のインクリボンユニットを確実に固定することができる。
【発明を実施するための最良の形態】
【００２０】
（第１実施形態）
以下、本発明に係る梱包体の第１実施形態について図面を参照しつつ説明する。図１はこの梱包体から内容物を取り出して分解した状態を示す斜視図、図２は図１の梱包体の断面図である。
【００２１】
図１に示すように、この梱包体は、直方体状の紙製の収納箱１に、印画紙ロール２と、これに印画を行うインクリボンユニット３とを梱包したものである。また、収納箱１には、印画紙ロール２及びインクリボンユニット３を仕切る仕切り部材４が収納されており、この仕切り部材４によって、図２に示すように、収納箱１の左側（第１収納領域）に印画紙ロール２が配置され、右側（第２収納領域）にインクリボンユニット３が配置されている。
【００２２】
印画紙ロール２は、公知のものであり、円筒状の軸芯２１に印画紙が巻き取られたものであり、全体として円筒状に形成されている。梱包時には印画紙の保護のため、印画紙ロール２を軟らかい樹脂製の袋２２に収納した後に、収納箱１に収容される。このとき、印画紙ロール２は、軸芯２１が上下方向を向くように収納箱１に配置される。また、図２に示すように、軸芯２１の長さは、収納箱１の高さとほぼ同じになっている。
【００２３】
一方、インクリボンユニットも公知のものであり、図２に示すように、インクリボンが巻き取られた繰り出しロール３１と、これと平行に配置された巻き取りロール３２を有している。これらのロール３１，３２は、軸方向の端部を互いに連結する連結部材３３によって固定されている。このような構成により、インクリボンユニット３は、径の異なる２つのロール３１，３２が並ぶ異形の形状をなしており、梱包時には印画紙ロール２と同様に、樹脂製の袋３４に収納された後、収納箱１に収容される。
【００２４】
次に、仕切り部材について図３も参照しつつ説明する。図３は仕切り部材の展開図である。同図に示すように、仕切り部材４は、厚紙で板状に形成されており、矩形状の一対の挟持部４１、４２と、これを連結する帯状の連結部４３とで構成されている。各挟持部４１、４２は、それぞれ収納箱１の上面及び下面とほぼ同じ大きさの矩形状に形成されており、図２に示すように、印画紙ロール２の軸方向の各端面に接して、ロール２を上下から挟むように配置される。ここでは、収納箱１の上側及び下側に配置される挟持部をそれぞれ、第１挟持部４１，及び第２挟持部４２と称することとし、第１挟持部４１が収納箱１の下面１１と接し、第２挟持部４２が収納箱１の上面１２と接する。
【００２５】
図２及び図３に示すように、第１挟持部４１上には、左側に印画紙ロール２が配置され、境界Ｚの右側にインクリボンユニット３が配置される。より詳細には、図３に示すように、第１挟持部４１の幅方向Ｙ（同図の上下方向）の長さが、印画紙ロール２の直径Ｄと対応している。一方、第１挟持部４１の長さ方向Ｘ（図の左右方向）の長さは、印画紙ロール２の直径Ｄと、繰り出しロール３１の直径ｄとの合計長さより若干長く設計されている。第２挟持部４２も、第１挟持部４１と同じ大きさであり、図３に示すように展開図にした場合には、同図の右側に印画紙ロール２が配置される。また、両挟持部４１，４２において、印画紙ロール２が配置される位置には、軸芯２１を固定するための貫通孔４７、４８が形成されており、後述する軸固定部材によって印画紙ロール２が各挟持部４１，４２に固定される。なお、上記第１挟持部４１において、インクリボンユニット３が配置される部分が、第２収納領域の底面を構成する。
【００２６】
また、第１挟持部４１には、右側の端部から長さ方向Ｘに延びる一対の切り込み４４が形成されている。この切り込みは、連結部を延長するように延びており、これによって、連結部４３は、第１挟持部の中間まで延びている。そして、その端部が、上述した境界Ｚとなっている。このように、連結部４３は、切り込み４４によって、第１挟持部４１の右端部を折り目とするのではなく、長さ方向Ｘの中間、つまり境界Ｚを折り目として折り曲げ可能になっている。なお、第２挟持部４２においても、左端部からわずかに切り込み４５が形成されており、連結部４３は、第２挟持部４２の左端部からわずかに入った位置Ｎを折り目として折り曲げられる。
【００２７】
こうして、仕切り部材４は、上述した折り目Ｚ，Ｎでコ字状に折り曲げられ、図２に示すように、収納箱１内に配置される。これにより、収納箱１には、連結部４３を挟んで左側の第１収納領域１５に印画紙ロール２が配置され、右側の第２収納領域１６にインクリボンユニット３が配置される。このとき、連結部４３の下側の折り目Ｚが、第１挟持部４１の中間に形成されているため、第２収納領域１６は、正面視で下から上にいくにしたがって幅が狭くなっている。このため、インクリボンユニット３は、各ロール３１，３２の軸が印画紙ロール２の軸芯２１と直交するようにした上で、径の大きい繰り出しロール３１を下に、径の小さい巻き取りロール３２側を上に向くように配置することで、収納される。
【００２８】
一方、第１収納領域１５に収納される印画紙ロール２は、次に説明する軸固定具によって固定されている。軸固定部材５は、挟持部４１，４２の貫通孔４７，４８にそれぞれ嵌合する円筒状の本体部５１と、その軸方向の一端部から径方向に突出するフランジ部５２とで構成されている。そして、図２に示すように、各軸固定部材５は、各挟持部４１，４２のロール２とは反対側の面から貫通孔４７，４８に挿入され、ロール側に突出するように取り付けられる。このとき、フランジ部５２が貫通孔４７，４８の周縁に係合するため、軸固定部材５は挟持部４１，４２から抜けることなく固定される。こうして、組み立てられた仕切り部材４、印画紙ロール２、インクリボンユニット３を収納箱１に収納すると、本実施形態に係る梱包体が完成する。
【００２９】
以上のように、本実施形態によれば、連結部４３の下側の折り目Ｚを第１挟持部４１の中間に設けているため、インクリボンユニット３が収納される第２収納領域１６は、下から上にいくにしたがって幅が狭くなっている。すなわち、径の異なるロールを有するインクリボンユニット３に適合した収納スペースを作ることができるため、インクリボンユニット３を確実に固定することができる。また、印画紙ロール２とインクリボンユニット３とを仕切る仕切り部材４は、上記のように一対の挟持部４１，４２と連結部４３とで構成されているにすぎないため、隙間を埋めるような特別な部材は不要であり、部品点数を少なくすることができ、ひいてはコストダウンを図ることができる。
【００３０】
この実施形態において、仕切り部材の構成は、種々の構成が可能であり、仕切り部材を収納箱に入れたときに、正面視で連結部が斜め方向に延び、第２収納領域が一方から他方へ向かって狭くなるように構成されていれば、その他の構成は、特には限定されない。上記実施形態では、仕切り部材４を一体的に形成しているが、これを別個に作成して連結してもよい。この場合、例えば、連結部を別体で形成し、挟持部の中間部に、揺動自在に連結することもできる。また、仕切り部材を単にコ字状に折り曲げた板状の部材としてもよく、このときに、中間に配置される連結部が斜めに延びるようになっていればよい。
【００３１】
（第２実施形態）
次に、本発明に係る梱包体の第２実施形態について説明する。図４は、この実施形態に係る梱包体の組み立てを示す斜視図、図５は仕切り部材の展開図、図６は梱包体の断面図、図７は図６のＡ−Ａ線断面図である。
【００３２】
図４に示すように、この梱包体は、収納箱１に、２個の印画紙ロール２と、２個のインクリボンユニット３とを収納したものであり、印画紙ロール２及びインクリボンユニット３は、第１実施形態で示したものと同じであるので、同一符号を付す。収納箱１には、仕切り部材６が収納され、この仕切り部材６によって、収納箱１は、印画紙ロール２が収納される第１収納領域１５と、インクリボンユニット３が収納される第２収納領域１６とに仕切られる（図６参照）。また、この収納箱１の中には、インクリボンユニット３と収納箱１の内壁面との隙間を埋める隙間材７が配置されている。
【００３３】
次に、仕切り部材６について図５も参照しつつ説明する。図５に示すように、仕切り部材６は、厚紙で板状に形成されており、印画紙ロール２の下面側に配置される第１挟持部６１と、印画紙ロール２の上面側に配置される第２挟持部６２と、これら挟持部６１，６２を連結する幅の狭い連結部６３とで構成されている。第１挟持部６１は、折り目Ｍを介して連結された２枚の挟持部片、つまり第１挟持部片６１１及び第２挟持部片６１２から構成され、使用時には、これら挟持部片６１１，６１２が折り畳まれ、重ね合わされた状態で印画紙ロール２の下面に配置される（図４参照）。そして、第１挟持部片６１１は、連結部６３に連結されている。両挟持部片６１１，６１２は、外形が、収納箱１の下面とほぼ同じ大きさに形成されているが、第２挟持部６２は、それよりも小さく形成されている。
【００３４】
図５に示すように、第１挟持部片６１１上には、Ｙ方向（同図の上下方向）に延びる境界Ｚの右側に２個の印画紙ロール２が配置され、左側にインクリボンユニット３が配置される。より詳細には、第１挟持部片６１１のＹ方向の長さが、２個の印画紙ロール２の直径Ｄの合計長さと対応している。一方、第１挟持部片６１１のＸ方向（図の左右方向）の長さは、印画紙ロール２の直径Ｄと、繰り出しロール３１の直径ｄとの合計長さより若干長く設計されている。
【００３５】
第２挟持部６２は、図４に示すように、第１挟持部６１における第１収納領域の上方に配置され、印画紙ロール２の上面を覆う。したがって、第２挟持部６２の大きさは、Ｘ方向が印画紙ロール２の直径Ｄとほぼ同じであり、Ｙ方向が２個の印画紙ロール２の直径Ｄの合計長さとほぼ同じになる。また、両挟持部６１，６２において、印画紙ロール２が配置される位置には、第１実施形態と同様に、貫通孔６１１１，６１２１，６２１が形成されており、軸固定部材５によって印画紙ロール２が各挟持部６１，６２に固定される。
【００３６】
また、第１挟持部片６１１には、連結部６３側（左側）の端部から長さ方向Ｘに延びる二対の切り込み６１１５が形成されており、中央の２つの切り込み６１１５は、左側の端部同士がＹ方向に延びる切り込み６１１４で連結されている。このような切り込みにより、図４に示すように、連結部６３の下端には２つの脚部６３１が形成され、第１挟持部片６１１の中間部まで延びて折り目Ｌ（境界Ｚ）と連結している。一方、第１挟持部片６１１の端部には、３つの突部６１１２，６１１３が形成され、第２収納領域の底面を構成している。なお、連結部６３の右側の端部は、折り目Ｎを介して第２挟持部６２の端部に連結されている。
【００３７】
こうして、仕切り部材４は、上述した折り目Ｌ及び第２挟持部６２の端部の折り目Ｎでコ字状に折り曲げられ、図４に示すように、収納箱１内に配置される。このとき、第１実施形態と異なり、連結部６３は、ほぼ垂直方向に延び、第１及び第２収納領域１５，１６とも、直方体形状に形成される。図６に示すように、第２収納領域１６では、一方のインクリボンユニット３が、繰り出しロール３１を下側に向け、巻き取りロール３２を上側に向けて配置される。このとき、上側の巻き取りロール３２と、繰り出しロール３１との径の差により、インクリボンユニット３には段差が形成される。この段差に、他方のインクリボンユニット３の繰り出しロール３１が嵌め込まれる。すなわち、他方のインクリボンユニット３は、巻き取りロール３２を下側に向け、繰り出しロール３１を上側に向けて配置される。このような配置により、第２収納領域１６では、上下方向に隙間なく、２個のインクリボンユニット３が収納される。
【００３８】
図７に示すように、インクリボンユニット３の軸方向の長さは、第１挟持部片６１１のＹ方向の長さよりも短い。そのため、軸方向の両端部と、収納箱１の内壁面との隙間には、隙間材７が配置される。図４及び図７に示すように、隙間材７は、帯状の厚紙を折り曲げて一体的に形成されたものであり、一対の充填材７１と、これを接続する接続部７２とで構成されている。各充填材７１は、折り曲げられて直方体状に形成され、インクリボンユニット３の軸方向の端部と収納箱１の内壁面との間に配置されており、収納箱１の高さとほぼ同じ高さを有する。接続部７２は、充填材７１の下端部同士を連結するものであり、第１挟持部片６１１のＹ方向の長さとほぼ同じであり、３つの突部６１１２，６１１３を跨ぐように配置される。このように、隙間材７を一体的に形成する場合には、充填材７１を接続する接続部７２が必要となるが、本実施形態では、第１挟持部片６１１の中央の突部６１１３は、接続部７２を支持し、下方に折れ曲がるのを防止している。
【００３９】
上記のように構成された各部材により、この梱包体は、図４に示すように、組み立てられる。すなわち、仕切り部材６を折り曲げて、第１及び第２収納領域を形成し、第１収納領域１５に２個の印画紙ロール２を配置した後、軸固定部材５によって、印画紙ロール２を仕切り部材６に固定する。続いて、隙間材７の充填材７１の間に２個のインクリボンユニットを上述したように収納し、これを仕切り部材６の第２収納領域１６に配置する。こうして組み立てられた部材を収納箱１に収納すると、梱包体が完成する。
【００４０】
以上のように本実施形態によれば、仕切り部材６により、直方体状の第２収納領域１６を形成し、一方のインクリボンユニット３における巻き取りロール３２と繰り出しロール３１との径の差により生ずる段差に、他方のインクリボンユニット３の巻き取りロール３２が嵌るように配置し、さらに、２個の巻き取りロール３２を挟んで２個の繰り出しロール３１が対向するように、配置している。このような配置により、異形のインクリボンユニット３において、径の小さい巻き取りロール３２同士が隣接して繰り出しロール３１との径の差を互いに埋めることができる。その結果、収納箱１内に無駄なスペースが形成されるのを防止でき、さらにスペースを埋めるための余分な部材も不要になる。
【００４１】
また、第１実施形態と同様に、この実施形態においても、仕切り部材６の構成は、種々の構成が可能であり、少なくとも２個のインクリボンユニット３が互いの段差を埋めるように配置できる第２収納領域が形成されればよい。
【００４２】
また、隙間材７は、上述したもののほか、例えば、図８及び図９に示すような形状にすることができる。図８は隙間材の使用状態を示す図であり、図９は隙間材の展開図である。
【００４３】
図９に示すように、この隙間材７は、一対の充填材７１と、これを接続する帯状の接続部７２とで構成されている。各充填材７１は、接続部７２の両端部に折り曲げ可能に連結される矩形状の中央部７１１と、その両側に折り曲げ可能に連結される矩形状の一対の側面部７１２とで構成されている。中央部７１１及び側面部７１２はともに、収納箱１の高さとほぼ同じ長さとなっている。図８に示すように、収納箱１に収容するには、中央部７１１は、水平に配置される接続部７２に対して垂直に折り曲げ、さらに各側面部７１２を中央部７１１に対して直角に折り曲げる。このとき、各側面部７１２は、接続部７２とは反対側、つまり梱包体の外方に向くように折り曲げる。これにより、充填材７１は、インクリボンユニット３の両端部と、収納箱１との間を埋めるように平面視略矩形となる。こうして、図８に示すように、隙間材７を収納箱１に配置し、両充填材７１の間に、インクリボンユニット３を収納すれば、インクリボンユニット３を収納箱１内の所定の位置に保持することができる。
【００４４】
なお、図４では、仕切り部材６の第１挟持部６１に３つの突部６１１２，６１１３を設けているが、そのうちの中央の突部６１１３は、必ずしも設けなくてもよく、図８に示すように、省略することもできる。
【００４５】
以上、本発明の実施形態について説明したが、本発明は上記実施形態に限定されるものではなく、その趣旨を逸脱しない限りにおいて種々の変更が可能である。上述した例では、１個または２個のインクリボンユニットを収納する場合について説明したが、３個以上のインクリボンユニットを収納する場合には、第１及び第２実施形態の梱包体を適宜組み合わせて収納すればよい。
【００４６】
また、印画紙ロール２を挟持部に固定するための手段は、上述した軸固定部材５以外の構成でもよく、挟持部に印画紙ロールが固定できるのであれば、特には限定されない。印画紙ロール２は、第２収納領域の底面に対し、軸方向が垂直となるように配置しているが、これに限定されず、固定用の部材を設ければ、第２収納領域の底面と軸とが平行になるように配置することもできる。また、上記の説明では、印画紙ロール２に軸芯２１を設けているが、このような軸芯２１は必ずしも必要ではなく、軸芯を設けずに印画紙を巻き取ってロール状にした、いわゆるコアレスの印画紙ロールを用いることもできる。
【図面の簡単な説明】
【００４７】
【図１】本発明の第１実施形態に係る梱包体を分解した状態を示す斜視図である。
【図２】図１の梱包対の断面図である。
【図３】仕切り部材の展開図である。
【図４】本発明の第２実施形態に係る梱包体を分解した状態を示す斜視図である。
【図５】仕切り部材の展開図である。
【図６】図４の梱包体の断面図である。
【図７】図６のＡ−Ａ線断面図である。
【図８】図４に示す梱包体の他の例を示す斜視図である。
【図９】図８で用いる隙間材の展開図である。
【符号の説明】
【００４８】
１    収納箱
２    印画紙ロール
３    インクリボンユニット
４    仕切り部材
４１  第１挟持部
４２  第２挟持部
４３  連結部
６    仕切り部材
６１  第１挟持部
６２  第２挟持部
７    隙間材
【図１】
0005380881.tif 000002
【図２】
0005380881.tif 000003
【図３】
0005380881.tif 000004
【図４】
0005380881.tif 000005
【図５】
0005380881.tif 000006
【図６】
0005380881.tif 000007
【図７】
0005380881.tif 000008
【図８】
0005380881.tif 000009
【図９】
0005380881.tif 000010